(57)【要約】【課題】  空調機器、扇風機、換気扇、送風ダクトの吹出や換気等による風力や風流を動力エネルギーとして空気の攪拌や拡散を行うことで、特に室内の空気環境を改善し使用電力の節約及び省エネルギーを図った空気攪拌器を提供する。【解決手段】  風力や風流で回転する羽根を有する攪拌体又はモーターを含む発電装置や蓄電装置の一部又は全部を備えた攪拌体、又は中空円形体とした攪拌体、又は該中空円形体の内外周部の一方又は両方に突起物を設けた攪拌体等と、それらを空調機器等の空気吹出部等に付設又は自在に取り付け又は取り外すための支持部と吸盤部とによって構成され、吹出風力等で作動してその空気を攪拌し又は拡散させるようにした空気攪拌器を提供する。【選択図】図１
0003174955.tif 000002
【実用新案登録請求の範囲】
【請求項１】
風力や風流で回転する羽根を有する攪拌体又はモーターを含む発電装置や蓄電装置の一部又は全部を備えた攪拌体、又は中空円形体とした攪拌体、又は該中空円形体の内外周部の一方又は両方に突起物を設けた攪拌体、又は翼形状の平面体とした攪拌体と、それらを車内、空調機器、換気扇、扇風機、送風ダクトの空気吹出部又は風流部に付設又は自在に取り付け又は取り外すための支持部と吸盤や吸着又は接着又は固着させるものを有する吸盤部とによって構成され、それが吹出風力や風流で作動しつつその空気を攪拌し又は拡散させるようにしたことを特徴とする空気攪拌器。
【請求項２】
前記の風力や風流で回転する羽根を有する攪拌体又はモータを含む発電装置や蓄電装置の一部又は全部を備えた攪拌体、又は中空円形体とした攪拌体、又は該中空円形体の内外周部の一方又は両方に突起物を設けた攪拌体、又は翼形状とした攪拌体としたこと、又はそれらを特徴とする請求項１記載の空気攪拌器。
【請求項３】
前記の攪拌体を車内、室内の空調機器、換気扇、扇風機、送風ダクトの空気吹出部又は風流部に付設又は取り付けるための支持部を設けた又は吸盤や吸着又は接着又は固着させるものを有する吸盤部を設けたこと又はそれら支持部と吸盤部を設けたこと、又は吸盤部による付設又は取付又は取り外しを自在としてその位置を自在としたこと、又はそれらを特徴とする請求項１記載の空気攪拌器。
【請求項４】
前記の攪拌体と支持部と吸盤部を一体的に構成したこと、又はそれを特徴とする請求項１記載の空気攪拌器。
【請求項５】
前記の攪拌体が空気吹出部又は風流部からの風力や風流を最適に受けて最大効果を発揮するように、該攪拌体と空調機器、換気扇、扇風機、送風ダクトとの対面角度や距離や姿勢を最適とするよう攪拌体又は支持部又は吸盤部に可変機能を持たせたこと、又はそれらを特徴とする請求項１記載の空気攪拌器。
【請求項６】
前記の支持部を、金属、プラスチック、カーボン、繊維、セラミックの一以上を用いて線形状又は面形状又は立体形状又は弾力性を有する形状又はアーム形状としたこと、又はそれらを特徴とする請求項１記載の記載の空気攪拌器。
【請求項７】
前記の回転する羽根において、その外周部にガード体を設けたこと又はガード体を不要としたこと、又は軟質又は硬質のプラスチック、紙、繊維、木材を用いたこと、又はそれらをを特徴とする請求項１記載の空気攪拌器。
【請求項８】
前記のモーターを含む発電装置や蓄電装置を攪拌体に設けたこと、又はそれらの一部又は全部を吸盤部と支持部と攪拌体に分担又は分割して設けたこと、又はそれらを取り外し可能としたこと、又はそれらを特徴とする請求項１記載の空気攪拌器。
【考案の詳細な説明】
【技術分野】
【０００１】  本考案は、風力等で回転する羽根を有する攪拌体又はモーターを含む発電装置や蓄電装置の一部又は全部を備えた攪拌体、又は中空円形体とした攪拌体、又は該中空円形体の内外周部の一方又は両方に突起物を設けた攪拌体等と、それらを空調機器等の空気吹出部等に付設又は取り付けるための支持部と吸盤部とによって構成され、吹出風力等で作動してその空気を攪拌し又は拡散させるようにした空気攪拌器に関する。
【背景技術】
【０００２】  文献１は、回転羽根部分にイオン発生塗料を塗布した大小風車体をカーエアコン、空調機等の空気噴出部に付設し、噴出風力で自動回転させてイオンを放出させつつ、噴射前方付近空気を攪拌しイオン還元効果を均等拡散させるマイナスイオン放出風車体である。【０００３】  これは、空調機器等の噴出風力で自動的に風車体を回転させて回転羽根からマイナスイオンを放出させるもので、風車体は空気噴出部に付設し付近の空気を攪拌するものである。【０００４】  これに対して、本考案の羽根を有する攪拌体はマイナスイオン発生用の塗料は塗布しておらず、その発生も放出もしない羽根である点と、その目的の点で文献１と異なる。また羽根外周部のガード体の設置を自由としている点でも異なる。【０００５】  付設方法は、文献１に明記はない。一方、本考案は空調機器等に直接、間接に固定し、吸盤等で自在に取付及び取外しが可能である点で異なる。また本考案の攪拌体には、回転羽根のない中空円形体、突起物を有する中空円形体、翼形状の平面体等とした点も異なる。【０００６】  さらに、本考案は攪拌体と吸盤部とそれらを連係する支持部で構成した点、支持部が上記の空気吹出部に対して攪拌体を最適に対応させるために対面角度や距離や位置を可変する機能を有する点でも文献１と異なる。【０００７】  加えて、本考案では必要に応じてモーターを含む発電装置や蓄電装置を備えることを可能とした点でも文献１と異なる。【０００８】
【文献１】
特願２００６−２１１４０９
【考案の開示】
【考案が解決しようとする課題】
【０００９】  空調機器、扇風機、換気扇、送風ダクトの吹出や換気等による風力や風流を動力エネルギーとして空気の攪拌や拡散を行うことで、室内の空気環境を改善し使用電力の節約及び省エネルギーを可能とした空気攪拌器を提供する。
【課題を解決するための手段】
【００１０】  本考案は、まず攪拌体を形成する。空調機器等の吹出空気の風力や風流で自動的に作動しつつ、吹出空気を攪拌又は拡散するもので、例えば風車のような回転羽根を持つ攪拌体では、羽根材質は軟質・硬質プラスチック、金属、天然繊維、紙、セラミック等とし、羽根形状は静音や攪拌を重視し、羽根直径は空調機器等の吹出部を勘案して合わせるが、二重や複合とした羽根構成でも良い。【００１１】  これは、吹出空気が攪拌体の最適な動力エネルギーへの適応及び最適な攪拌効果の獲得するためである。なお、羽根が軟質プラスチックのときは使用者の安全を担保できれば攪拌体外周部のガード体を不要として良い。【００１２】  他に、水車のような回転羽根を持つ攪拌体、中空円形体とした攪拌体、中空円形体の内外周部の一方又は両方に突起物を設けた攪拌体、翼形状の平面体とした攪拌体等があり、これらは渦輪や航跡渦による乱流を現出させるものである。【００１３】  中空円形の攪拌体は、ドーナツ形状や楕円形状等とし、その直径は吹出部を勘案して合わせるが、吹出空気の風力等が強い場合は渦輪や航跡渦の乱流効果は弱く、風力等が弱い場合はそれらが強くなるため十分に考慮する。【００１４】  中空円形の内外周部に突起物を設けた攪拌体は、ドーナツ形状や楕円形状等とした内外周部のいずれか一方又は両方に翼先端部に似た形状の突起物を設け、渦輪と航跡渦による乱流効果を得るものである。【００１５】  次に、支持部を形成する。これは攪拌体を空調機器等に付設又は自在に取り付け、取り外す際に吸盤部と攪拌体とを連係するもので、攪拌体を最適に作動させるための可変機能を備えたものと有しないもの等がある。【００１６】  可変機能を備えたものは金属、プラスチック、カーボン、繊維、セラミック等による形成が良く、支持部に可変機能を持つ部分は攪拌体との接合部付近と中間部と吸盤部付近の３箇所になる。また単独で可変機能材として形成し用いて良い。【００１７】  支持部は、金属、プラスチック、カーボン、繊維、セラミックの一以上を用いて線状や面状や立体物や弾力性を有するもの等に形成し又は組み合わせる。例えば造花用針金、しなる針金、弾力性を持つ下敷、プラスチックの円筒や角筒等の如きである。【００１８】  吸盤部は、攪拌体と支持部を空調機器等に付設又は自在に取り付け、取り外すためのもので、吸盤や接着剤や吸着具や留め具で固定する等の材料や方法等がある。【００１９】  以上の攪拌体、支持部、吸盤部を一体的に組み合わせ又は合体させて本考案の空気攪拌器を形成する。またモーターを含む発電装置や蓄電装置は、攪拌体だけでなく吸盤部や支持部と分担又は分割して設けて良い。
【本考案の効果】
【００２０】  本考案の効果は、第一に、空調機器等の風力や風流により空気の攪拌や拡散を行うことで、室内の温度勾配の不均等（温度むら）を改善すること、及び人体皮膚への直接の冷暖房による過刺激を緩和することである。
【００２１】  第二に、空気の攪拌や拡散を行うことで温度勾配の不均等（温度むら）を均等へと改善し、不均等で要した経費を軽減し、かつ節電や省エネルギーを可能とすることである。
【考案を実施するための最良の形態】
【００２２】  本考案について、図１から図９の実施例に基づいて説明する。ただし、本考案はこれらに限るものではなく、作図も主要な構成物のみとする。【００２３】  図１は、本考案の実施例（１）の断面図で、吸盤４を有する吸盤部１と、羽根６を有する攪拌体３を、支持材（線形状）５を有する支持部２で一体的に連係した構成とし、羽根６を軟質プラスチックで成形してガード体７を不要としている。【００２４】  図２及び図３は、実施例（２）の断面図と正面図で、吸盤４を有する吸盤部１と、羽根６とガード体７を有する攪拌体３を、支持材（可変可能な円筒体）５−１を有する支持部２で一体的に連係した構成としている。【００２５】  図４及び図５は、実施例（３）の断面図及び正面図で、吸盤４を有する吸盤部１と、中空と流線形断面の周囲体８を有する攪拌体３を、支持材（可変可能な円筒体）５−１を有する支持部２で一体的に連係した構成としている。【００２６】  図６及び図７は、実施例（４）の断面図及び正面図で、吸盤４を有する吸盤部１と、中空と流線形断面に突起体９を有する攪拌体３を、支持材（線形状）５又は支持材（可変可能な角筒体）５−２を有する支持部２で一体的に連係した構成としている。【００２７】  支持材（可変可能な円筒体）５−１と支持材（可変可能な角筒体）５−２で用いる可変機能は、それら以外に単独で可変機能材１０として付設又は取付ける等して別に用いて良い。【００２８】  図示はないが、吸盤４と蓄電装置１２を有する吸盤部１と、拡散専用の羽根（斜角度）６ー１と発電装置１１とそのスイッチ１３を有する攪拌体３を支持材（可変可能な角筒体）５−２を有する支持部２で一体的に連係して良い。
【図面の簡単な説明】
【００２９】
【図１】本考案の実施例（１）を示す断面図。
【図２】本考案の実施例（２）を示す断面図。
【図３】本考案の実施例（２）を示す正面図。
【図４】本考案の実施例（３）を示す断面図。
【図５】本考案の実施例（３）を示す正面図。
【図６】本考案の実施例（４）を示す断面図。
【図７】本考案の実施例（４）を示す正面図。
【符号の説明】
【００３０】  １      吸盤部
２      支持部
３      攪拌体
４      吸盤
５      支持材（線形状）
５−１  支持材（可変可能な円筒体）
５−２  支持材（可変可能な角筒体）
６      羽根
６−１  羽根（斜角度）
７      ガード体
８      周囲体
９      突起体
１０      可変機能材
１１      発電装置
１２      蓄電装置
１３      スイッチ
１４      電線
１５      中空部
【図１】
0003174955.tif 000003
【図２】
0003174955.tif 000004
【図３】
0003174955.tif 000005
【図４】
0003174955.tif 000006
【図５】
0003174955.tif 000007
【図６】
0003174955.tif 000008
【図７】
0003174955.tif 000009
【手続補正書】
【提出日】平成23年12月28日(2011.12.28)
【手続補正１】
【補正対象書類名】実用新案登録請求の範囲
【補正対象項目名】全文
【補正方法】変更
【補正の内容】
【実用新案登録請求の範囲】
【請求項１】
風力や風流で回転する羽根を有する攪拌体又はモーターを含む発電装置や蓄電装置の一部又は全部を備えた攪拌体、又は中空円形体とした攪拌体、又は該中空円形体の内外周部の一方又は両方に突起物を設けた攪拌体、又は翼形状の平面体とした攪拌体と、それらを車内、空調機器、換気扇、扇風機、送風ダクトの空気吹出部又は風流部に付設又は自在に取り付け又は取り外すための支持部と吸盤や吸着又は接着又は固着させるものを有する吸盤部とによって構成され、それが吹出風力や風流で作動しつつその空気を攪拌し又は拡散させるようにしたことを特徴とする空気攪拌器。
【請求項２】
前記の攪拌体と支持部と吸盤部を一体的に構成したことを特徴とする請求項１記載の空気攪拌器。
【請求項３】
前記の攪拌体が空気吹出部又は風流部からの風力や風流を最適に受けて最大効果を発揮するように、該攪拌体と空調機器、換気扇、扇風機、送風ダクトとの対面角度や距離や姿勢を最適とするよう攪拌体又は支持部又は吸盤部に可変機能を持たせたことを特徴とする請求項１記載の空気攪拌器。
【請求項４】
前記の支持部を、金属、プラスチック、カーボン、繊維、セラミックの一以上を用いて線形状又は面形状又は立体形状又は弾力性を有する形状又はアーム形状としたことを特徴とする請求項１記載の記載の空気攪拌器。
【請求項５】
前記の回転する羽根において、その外周部にガード体を設けたこと、又は該羽根に軟質又は硬質のプラスチックを用いたこと、又は該羽根に紙、繊維、木材を用いたことを特徴とする請求項１記載の空気攪拌器。
【請求項６】
前記のモーターを含む発電装置や蓄電装置を攪拌体に設けたこと、又はそれらの一部又は全部を吸盤部と支持部と攪拌体に分担又は分割して設けたこと、又はそれらを取り外し可能としたことを特徴とする請求項１記載の空気攪拌器。